(57)【要約】      （修正有）【課題】機器の設定をするための機器設定画面と、機器に関する情報表示を行う情報表示画面とに区別して表示を行い、ユーザーが困惑せずに操作できるとともに所望のエネルギー情報を簡単に表示できるリモコン装置を提供する。【解決手段】機器の状態および設定内容を表示する表示部２２と、表示部において機器の状態を表示するメイン画面３１から機器の設定を行うための機器設定画面３２へ表示部を遷移させる第１の操作部２５と、メイン画面もしくは機器設定画面から機器の情報表示を行う情報表示画面へ表示部を遷移させる第２の操作部２６と、表示部は情報表示画面を表示する前に表示されるオープニング画面４１と、情報表示画面３３を消去した後に表示されるエンディング画面４４とに順次遷移するよう制御する制御部１７とを備える。【選択図】図２
2012199857.tif 000002
【特許請求の範囲】
【請求項１】
機器の状態および設定内容を表示する表示部と、
前記表示部において前記機器の状態を表示するメイン画面から前記機器の設定を行うための機器設定画面へ前記表示部を遷移させる第１の操作部と、
前記メイン画面もしくは前記機器設定画面から前記機器の情報表示を行う情報表示画面へ前記表示部を遷移させる第２の操作部と、
前記表示部は前記情報表示画面を表示する前に表示されるオープニング画面と、前記情報表示画面を消去した後に表示されるエンディング画面とに順次遷移するよう制御する制御部とを備えたリモコン装置。
【請求項２】
制御部は、情報表示画面を表示中は機器設定画面へ遷移しないように制御する請求項１に記載のリモコン装置。
【請求項３】
制御部は、表示部で、オープニング画面から情報表示画面へ遷移し、また情報表示画面からエンディング画面へ遷移し、前記画面遷移では所定時間経過毎に遷移するよう制御し、前記所定時間経過前でも次画面へ遷移させる第３の操作部をさらに備えた請求項１または請求項２に記載のリモコン装置。
【発明の詳細な説明】
【技術分野】
【０００１】
本発明は、ガスを燃料に発電し、その廃熱を利用しお湯を生成するコージェネレーション装置等に使用して有効なエネルギー発電量や省エネ情報のリモコン装置に関するものである。
【背景技術】
【０００２】
近年、地球温暖化問題や省エネ等への関心も高まっており、省エネ性を特徴とした電化製品への注目が高い。特に給湯と発電機能もった商品においては、ガス・水・電気の使用量や金額を表示し、省エネや節約の成果・指標として表示できる機器も多い（例えば、特許文献１参照）。
【０００３】
特許文献１の記載の装置では、時系列で（例えば１時間単位で）現在と過去（例えば今日と昨日、今週と先週）のエネルギー使用量を比較し、また、昨日と今日の生活エネルギーを比較しどのくらい削減増加した等を表示することができる。
【先行技術文献】
【特許文献】
【０００４】
【特許文献１】特開２００７−２５７２８４号公報
【発明の概要】
【発明が解決しようとする課題】
【０００５】
しかしながら、前記従来の構成では、時系列で現在と過去のエネルギー使用量を比較表示したりするなど各種データを詳しく表示できるようになっているが、ユーザーが困惑せずに操作でき所望のエネルギー情報を簡単に見れるような使い勝手の工夫がなされていない。
【０００６】
特に、コージェネレーション装置のリモコン装置では、機器を設定する機器設定画面とエネルギー発電量やＣＯ２削減量などのエネルギー情報を表示する情報表示画面の２つの特性をもった画面を１つのリモコン装置で表示する。そのため、機器を操作し設定する機器設定画面なのか、情報表示を見るだけの情報表示画面なのかユーザーが把握した上で操作しないと困惑してしまう。
【０００７】
また、情報表示のために、エネルギー使用量や発電状態を簡単に見るための専用の大画面でカラー液晶画面を持ったような別売りモニターを購入しなくてはならないケースもある。
【０００８】
本発明は、商品に付属する標準リモコン装置でも、ユーザーが困惑せずに操作でき所望のエネルギー情報を簡単に表示するリモコン装置を提供することを目的とする。
【課題を解決するための手段】
【０００９】
前記従来の課題を解決するために、本発明のリモコン装置は、機器の状態および設定内容を表示する表示部と、前記表示部において前記機器の状態を表示するメイン画面から前記機器の設定を行うための機器設定画面へ前記表示部を遷移させる第１の操作部と、前記メイン画面もしくは前記機器設定画面から前記機器の情報表示を行う情報表示画面へ前記表示部を遷移させる第２の操作部と、前記表示部は前記情報表示画面を表示する前に表示されるオープニング画面と、前記情報表示画面を消去した後に表示されるエンディング画面とに順次遷移するよう制御する制御部とを備えたものである。
【００１０】
これによって、機器の設定をするための機器設定画面と、機器に関する情報表示を行う情報表示画面とに区別して表示されるため、ユーザーが困惑せずに操作でき所望のエネルギー情報を簡単に表示するリモコン装置が得られるものである。
【発明の効果】
【００１１】
本発明のリモコン装置によれば、機器の設定をするための機器設定画面と、機器に関する情報表示を行う情報表示画面とに区別して表示されるため、ユーザーが困惑せずに操作でき所望のエネルギー情報を簡単に表示するリモコン装置が得られるものである。
【図面の簡単な説明】
【００１２】
【図１】本発明の実施の形態１におけるリモコン装置がコージェネレーション装置に使用される構成を示す構成図
【図２】本発明の実施の形態１におけるリモコン装置を示す構成図
【図３】本発明の実施の形態１におけるリモコン装置の構成図
【図４】本発明の実施の形態１におけるリモコン装置の画面の遷移図
【図５】本発明の実施の形態１におけるリモコン装置の画面の遷移図
【発明を実施するための形態】
【００１３】
第１の発明は、機器の状態および設定内容を表示する表示部と、前記表示部において前記機器の状態を表示するメイン画面から前記機器の設定を行うための機器設定画面へ前記表示部を遷移させる第１の操作部と、前記メイン画面もしくは前記機器設定画面から前記機器の情報表示を行う情報表示画面へ前記表示部を遷移させる第２の操作部と、前記表示部は前記情報表示画面を表示する前に表示されるオープニング画面と、前記情報表示画面を消去した後に表示されるエンディング画面とに順次遷移するよう制御する制御部とを備えたことにより、機器の設定をするための機器設定画面と、機器に関する情報表示を行う情報表示画面とに区別して表示されるため、ユーザーが困惑せずに操作でき所望のエネルギー情報を簡単に表示するリモコン装置が得られるものである。
【００１４】
第２の発明は、特に第１の発明において、制御部は、情報表示画面を表示中は機器設定画面へ遷移しないように制御することにより、特徴の異なる機器設定画面と情報表示画面の２つの画面間で直接遷移できず、メイン画面を通じてのみ機器設定画面か情報表示画面へ遷移することとなり、機器設定画面と情報表示画面の画面遷移が独立することでリモコン操作が明確になり、ユーザーを困惑させず操作の利便性が向上するものである。
【００１５】
第３の発明は、特に第１の発明または第２の発明において、
制御部は、表示部で、オープニング画面から情報表示画面へ遷移し、また情報表示画面からエンディング画面へ遷移し、前記画面遷移では所定時間経過毎に遷移するよう制御し、前記所定時間経過前でも次画面へ遷移させる第３の操作部をさらに備えたものであり、これにより、すぐに情報表示画面を見たい場合にも、自動的な画面遷移を待たなくても良くなり、さらにユーザー利便性が向上するものである。
【００１６】
以下、本発明の実施の形態について、図面を参照しながら説明する。なお、この実施の形態によって本発明が限定されるものではない。
【００１７】
（実施の形態１）
図１は本発明の実施の形態１におけるリモコン装置がコージェネレーション装置に使用される構成を示す構成図である。図２は、本発明の実施の形態１におけるリモコン装置の詳細を示す構成図である。図１および図２において、コージェネレーション装置１１は燃料、例えばガスから水素を取り出し酸素と反応させることを利用して燃料電池ユニット１
２で発電する、その際に発生する排熱を利用して貯湯ユニット１３でお湯を生成するシステムである。給湯性能を高めるために給湯器１４も備える。
【００１８】
コージェネレーション装置１１にて、発電方法の設定を行ったり、所望の給湯温度に設定したりするなどの機器の設定を行うためリモコン装置１５を利用する。また、コージェネレーション装置１１では、発電と給湯の機能だけでなく製品の特徴である省エネ性をユーザーに通知し表示するために、コージェネレーション装置１１のリモコン装置１５に、エネルギー発電量やＣＯ２削減量などのエネルギー情報を表示する。
【００１９】
図３は本発明の実施の形態１におけるリモコン装置を示す構成図である。図３において、リモコン装置１５は、表示部２２と操作スイッチ部２３とダイレクトスイッチ部２４から構成される。コージェネレーション装置１１の燃料電池ユニット１２の発電の設定操作と給湯器１４の設定操作を行う際に、操作スイッチ部２３を利用して操作設定を行う。また、給湯・ふろ切／入やふろ自動など、日常生活でよく使うであろう重要な機能を、すぐにワンタッチで操作できるように用意されたボタンがダイレクトスイッチ部２４である。
【００２０】
図４は本発明の実施の形態１におけるリモコン装置の表示部の表示画面遷移を示す模式図である。図２から図４において、コージェネレーション装置１１の燃料電池ユニット１２の発電状態や貯湯ユニット１３の残り湯量やお湯設定温度などの機器の状態を表示するメイン画面３１がある。初期状態としてこのメイン画面３１を表示する。また、燃料電池ユニット１２の発電設定の操作や貯湯ユニット１３のお湯設定温度などを操作する場合は、操作スイッチ部２３のメニューボタン（第１の操作部）２５を通じて操作し機器設定画面３２へ遷移して、機器設定画面３２の画面で操作を行う。つまり、機器設定画面３２で機器の設定を行う。また、エネルギー発電量やＣＯ２削減量などの機器の状態を表示する場合には、ダイレクトスイッチ部２４のエネルックボタン（第２の操作部）２６を操作してのみ情報表示画面３３へ遷移して、情報表示画面３３の画面で操作できる。このようにリモコン装置１５の表示画面は、大きく分けると機器設定画面３２と情報表示画面３３の特徴の異なる２画面から構成される。
【００２１】
ここで、第１の操作部であるメニューボタン２５、第２の操作部であるエネルックボタン２６の操作に応じて、上記のように表示部２２の画面を制御するように制御部１７が設けられている。
【００２２】
そして情報表示画面３３を表示中には、メニューボタン２５を操作しても機器設定画面３２に遷移しないように、また機器設定画面３２表示中にエネルックボタン２６を操作しても情報表示画面３３に遷移しないようにしている。これにより、特徴の異なる機器設定画面３２と情報表示画面３３の２つの画面間で直接遷移できず、メイン画面３１を通じてのみ機器設定画面３２か情報表示画面３３へ遷移することとなり、機器設定画面３２と情報表示画面３３の画面遷移が独立することでリモコン操作が明確になり、ユーザーを困惑させず操作の利便性が向上する。
【００２３】
なお、機器設定画面３２と情報表示画面３３において、操作・表示が終了すればメイン画面３１を表示する。
【００２４】
図５は本発明の実施の形態１におけるリモコン装置の表示部、特に情報表示画面の表示画面遷移を示す模式図である。
【００２５】
図中、情報表示画面３３は図４に示すものと同等のものである。情報表示画面３３は、エネルギー発電量やＣＯ２削減量などを表示するための専用の画面であり、機器設定画面３２と区別して表示するためにも、情報表示画面３３の表示前にはオープニング画面４１
に遷移する。また、情報表示画面３３の後にエンディング画面４４に遷移し表示してから終了する。画面遷移は所定時間がたてば、例えば３秒たてば自動的に画面遷移する。最も表現したい情報、例えばＣＯ２削減量を、情報表示画面Ａ  ４２としてオープニング画面４１直後に表示するような画面遷移も可能である。以上の表示部２２の表示は制御部１７により制御されている。これによって、情報表示画面３３の表示にあたり画面効果が施され、機器設定画面３２との表示とは異なる画面であることが見た目からもすぐ分かるようになる。
【００２６】
なお、操作スイッチ部２３の確定ボタン（第３の操作部）２７を操作すれば、制御部１７を介して、画面遷移は所定時間経過前に次画面へ遷移するようにしておくことで、すぐに情報表示画面を見たい場合にも、自動的な画面遷移を待たなくても良くなり、さらにユーザー利便性が向上する。
【００２７】
以上のように、情報表示画面３３において機器設定画面３２に無いオープニング画面４１とエンディング画面４４を設けたことで情報表示画面３３が特長づけられ、機器を設定し操作する機器設定画面３２と情報表示するだけの情報表示画面３３のどちらを操作しているのかユーザーが把握しやすくなり、リモコン装置１５を困惑せず操作できるようになる。
【００２８】
本実施の形態のリモコン装置１５によれば、エネルギー発電量やＣＯ２削減量などのエネルギー情報の情報表示画面を表示する際にはオープニング画面４１を表示し、情報表示画面３３を終了する際にはエンディング画面４４を表示することで、機器を操作し設定する機器設定画面３２と情報表示画面３３と２つの異なる特性の画面を区別して分かりやすく表示できる。
【００２９】
また、機器設定画面３２と情報表示画面３３と２つの特性の異なる画面を区別して表示できることで、情報表示画面３３のためにユーザーは別売りのリモコン装置を用意せずとも、商品に付属する標準リモコン装置で困惑せず簡単にエネルギー発電量やＣＯ２削減量を見ることできるようになる。
【産業上の利用可能性】
【００３０】
以上のように、本発明にかかるリモコン装置は、機器設定画面と情報表示画面と２つの特性の異なる特性の画面を、１つリモコン装置でも区別して画面構成できるようになる。これによって、燃料電池だけでなく、ガスエンジンを利用するコージェネレーション装置や、太陽電池などの発電装置など、発電機能がありその発電効果を表示するような機器に広く応用できる。
【符号の説明】
【００３１】
１１  コージェネレーション装置
１２  燃料電池ユニット
１３  貯湯ユニット
１４  給湯器
１５  リモコン装置
２２  表示部
２３  操作スイッチ部
２４  ダイレクトスイッチ部
２５  メニューボタン（第１の操作部）
２６  エネルックボタン（第２の操作部）
２７  確定ボタン（第３の操作部）
３１  メイン画面
３２  機器設定画面
３３  情報表示画面
４１  オープニング画面
４２  情報表示画面Ａ
４４  エンディング画面
【図１】
2012199857.tif 000003
【図２】
2012199857.tif 000004
【図４】
2012199857.tif 000005
【図５】
2012199857.tif 000006
【図３】
2012199857.tif 000007